(57)【要約】【課題】リムーバブルメモリに記録されたＤＰＯＦ自動プリントファイルを再度利用し、しかもプリントサイズを変更するときの、ユーザの手間を省くことができる情報処理装置を提供する。【解決手段】ＣＦカードに記録されている縮小画像に対して、それまでに記録されているDPOF自動プリントファイル流用し、新たに別のサイズでプリント指定しようとする場合を想定する。この場合に、元画像有無判定プログラムは、リンク情報を参照して、ＣＦカードに記録されている画像が内蔵メモリに記録されていた画像から変換された画像か否かを判定する。また、元画像有無判定プログラムは、変換された画像の場合は元画像が内蔵メモリに存在するか否かを判定する。そして、内蔵メモリ内の画像を新たに指定されたプリントサイズに応じて変換して、ＣＦカードに記録する。【選択図】図１
2010161579.tif 000002
【特許請求の範囲】
【請求項１】
画像を記録している第１の記録媒体と、
着脱可能な第２の記録媒体を装着する装着部と、
前記第１の記録媒体に記録された任意の画像をプリント指定する指定手段と、
前記指定手段により前記プリント指定された前記第１の記録媒体に記録されている画像を指定されたプリントサイズに応じて縮小変換し、前記第２の記録媒体に記録する変換手段と、
前記第２の記録媒体に記録した画像のプリント要求とプリント枚数を示すプリント指定ファイルを生成する第１の生成手段と、
前記プリントサイズと、前記プリント指定された画像に対応する元画像が記録されている前記第１の記録媒体の記録場所とを記述したリンク情報を生成する第２の生成手段と、
前記プリント指定ファイルを利用し、前記第２の記録媒体に記録されている画像を他のプリントサイズでプリント指定する場合に、当該画像が前記第１の記録媒体に記録されていた画像から変換された画像か否かを前記リンク情報に基づいて判定する判定手段と、
前記判定手段により、前記第１の記録媒体に記録されていた画像から変換された画像であると判定した場合には、新たに前記変換手段により、前記第１の記録媒体に記録されている画像を前記他のプリントサイズに応じて縮小変換し、前記第２の記録媒体に記録するように制御する制御手段と、
を備えることを特徴とする情報処理装置。
【請求項２】
前記変換手段は、画像の解像度に応じて縮小する割合を変更することを特徴とする請求項１記載の情報処理装置。
【請求項３】
前記リンク情報は隠しファイルであることを特徴とする請求項１または２に記載の情報処理装置。
【請求項４】
前記リンク情報は前記プリント指定ファイル毎に生成可能であることを特徴とする請求項１から３のいずれかに記載の情報処理装置。
【請求項５】
自動送信ファイルを生成する第３の生成手段を備えることを特徴とする請求項１から4のいずれかに記載の情報処理装置。
【請求項６】
更に、撮像部と、撮像部により取得された画像を第１の記録媒体に記録する記録手段とを有することを特徴とする請求項１から５のいずれかに記載の情報処理装置。
【請求項７】
画像を記録している第１の記録媒体と、
着脱可能な第２の記録媒体を装着する装着部とを有する情報処理装置の制御方法であって、
前記第１の記録媒体に記録された任意の画像をプリント指定する指定工程と、
前記指定工程により前記プリント指定された前記第１の記録媒体に記録されている画像を指定されたプリントサイズに応じて縮小変換し、前記第２の記録媒体に記録する変換工程と、
前記第２の記録媒体に記録した画像のプリント要求とプリント枚数を示すプリント指定ファイルを生成する第１の生成工程と、
前記プリントサイズと、前記プリント指定された画像に対応する元画像が記録されている前記第１の記録媒体の記録場所とを記述したリンク情報を生成する第２の生成工程と、
前記プリント指定ファイルを利用し、前記第２の記録媒体に記録されている画像を他のプリントサイズでプリント指定する場合に、当該画像が前記第１の記録媒体に記録されていた画像から変換された画像か否かを前記リンク情報に基づいて判定する判定工程と、
前記判定工程により、前記第１の記録媒体に記録されていた画像から変換された画像であると判定した場合には、新たに前記変換工程で、前記第１の記録媒体に記録されている画像を前記他のプリントサイズに応じて縮小変換し、前記第２の記録媒体に記録するように制御する制御工程と、
を備えることを特徴とする情報処理装置の制御方法。
【発明の詳細な説明】
【技術分野】
【０００１】
本発明は、画像データの処理、画像データに関する情報データの処理を行う情報処理装置及び撮像装置に関する。
【背景技術】
【０００２】
デジタルカメラ等で撮影した画像データは、ＣＦカード、ＳＤカード等のリムーバブルメモリに記録（記憶）される。最近では、デジタルカメラに大容量の内蔵メモリを搭載し、同時に上記リムーバブルメモリも使用できるものが増えてきている。
【０００３】
デジタル画像データをプリントするシステムの１つとして、プリントしたい画像データや枚数の指定ができるＤＰＯＦ（Ｄｉｇｉｔａｌ Ｐｒｉｎｔ  Ｏｒｄｅｒ Ｆｉｌｅ Ｆｏｒｍａｔ）システムがあり、これを備えるデジタルカメラが多数ある。
【０００４】
ＤＰＯＦは、デジタルカメラ用の記録フォーマットの１つである。ＤＰＯＦを用いれば撮影した画像を、プリントサービスや家庭のプリンタ等で自動的にプリントするための情報を記録することができる。
【０００５】
近年、デジタルカメラで撮影できる画像サイズが大きくなっている。内蔵メモリに記録されている大きなサイズの画像をＤＰショップ等にＤＰＯＦファイルを生成して持ち込む場合、ＤＰＯＦファイルと指定画像データをリムーバブルメモリに記録して持ち運ぶことが考えられる。
【０００６】
指定画像データをリムーバブルメモリに記録する際、オリジナルの画像サイズで記録すると小さい容量のリムーバブルメモリには少数の画像しか記録できない。
【０００７】
これを回避する技術として、特許文献１には、以下の技術が提案されている。
【０００８】
特許文献１に提案された技術では、まず、プリント解像度を予め設定する。そして、ＤＰＯＦ持ち運びの処理の際にプリントサイズを指定して、プリント解像度とプリントサイズを鑑みて十分な画質を得ることができる画像サイズに縮小して画像を記録する。
【先行技術文献】
【特許文献】
【０００９】
【特許文献１】特開２００４−２９１２８７号公報
【発明の概要】
【発明が解決しようとする課題】
【００１０】
例えば、Ｌ判サイズ用のＤＰＯＦ自動プリントファイルを生成してプリント実施した後、Ａ４サイズ等大きなサイズのプリントが欲しくなる場合がある。
【００１１】
しかし、上記従来技術が適用されているデジタルカメラでは、リムーバブルメモリに存在する画像はＬ判に必要なサイズに縮小されており、Ａ４プリントには十分な画像サイズではなく、プリント画質が落ちる。
【００１２】
また、Ｌ判プリントと同じ画質を得るためには、再度Ａ４用に内蔵メモリから画像データを生成する必要がある。この場合、Ｌ判のＤＰＯＦを作成したときと同じ手順が必要になり、ユーザの手間がかかる。
【００１３】
本発明の目的は、リムーバブルメモリに記録されたＤＰＯＦ自動プリントファイルを再度利用してプリントサイズを変更するときの、ユーザの手間を省くことができる情報処理装置及びその制御方法を提供することにある。
【課題を解決するための手段】
【００１４】
上記目的を達成するために、請求項１記載の情報処理装置は、画像を記録している第１の記録媒体と、着脱可能な第２の記録媒体を装着する装着部と、前記第１の記録媒体に記録された任意の画像をプリント指定する指定手段と、前記指定手段により前記プリント指定された前記第１の記録媒体に記録されている画像を指定されたプリントサイズに応じて縮小変換し、前記第２の記録媒体に記録する変換手段と、前記第２の記録媒体に記録した画像のプリント要求とプリント枚数を示すプリント指定ファイルを生成する第１の生成手段と、前記プリントサイズと、前記プリント指定された画像に対応する元画像が記録されている前記第１の記録媒体の記録場所とを記述したリンク情報を生成する第２の生成手段と、前記プリント指定ファイルを利用し、前記第２の記録媒体に記録されている画像を他のプリントサイズでプリント指定する場合に、当該画像が前記第１の記録媒体に記録されていた画像から変換された画像か否かを前記リンク情報に基づいて判定する判定手段と、前記判定手段により、前記第１の記録媒体に記録されていた画像から変換された画像であると判定した場合には、新たに前記変換手段により、前記第１の記録媒体に記録されている画像を前記他のプリントサイズに応じて縮小変換し、前記第２の記録媒体に記録するように制御する制御手段とを備えることを特徴とする。
【００１５】
請求項７記載の情報処理装置の制御方法は、画像を記録している第１の記録媒体と、着脱可能な第２の記録媒体を装着する装着部とを有する情報処理装置の制御方法であって、前記第１の記録媒体に記録された任意の画像をプリント指定する指定工程と、前記指定工程により前記プリント指定された前記第１の記録媒体に記録されている画像を指定されたプリントサイズに応じて縮小変換し、前記第２の記録媒体に記録する変換工程と、前記第２の記録媒体に記録した画像のプリント要求とプリント枚数を示すプリント指定ファイルを生成する第１の生成工程と、前記プリントサイズと、前記プリント指定された画像に対応する元画像が記録されている前記第１の記録媒体の記録場所とを記述したリンク情報を生成する第２の生成工程と、前記プリント指定ファイルを利用し、前記第２の記録媒体に記録されている画像を他のプリントサイズでプリント指定する場合に、当該画像が前記第１の記録媒体に記録されていた画像から変換された画像か否かを前記リンク情報に基づいて判定する判定工程と、前記判定工程により、前記第１の記録媒体に記録されていた画像から変換された画像であると判定した場合には、新たに前記変換工程で、前記第１の記録媒体に記録されている画像を前記他のプリントサイズに応じて縮小変換し、前記第２の記録媒体に記録するように制御する制御工程とを備えることを特徴とする。
【発明の効果】
【００１６】
本発明の情報処理装置によれば、リムーバブルメモリに記録されたＤＰＯＦ自動プリントファイルを再度利用してプリントサイズを変更するときの、ユーザの手間を省くことができる。
【図面の簡単な説明】
【００１７】
【図１】本発明の第１の実施の形態に係る情報処理装置及び撮像装置としてのデジタルカメラのブロック図である。
【図２】図１のデジタルカメラ１００の背面図である。
【図３】図１における内蔵メモリ１０５の画像を元にＣＦカード１０６にＤＰＯＦファイルを生成するときのフォルダ構成を示す図である。
【図４】図１のデジタルカメラ１００によって実行されるＤＰＯＦファイル生成処理の第１の実施の形態の手順を示すフローチャートである。
【図５】図１のデシタルカメラ１００において、プリント解像度が３００ｄｐｉのときのプリントサイズと必要画像画素数を示す図である。
【図６】図３におけるリンク情報「Info_of_Image.txt」を示す図である。
【図７】図６における「AUTPRINT.MRK」を示す図である。
【図８】図１のデジタルカメラ１００における、ＤＰＯＦファイル再利用による画像データ更新時のフォルダ構成を示す図である。
【図９】図１のデジタルカメラ１００によって実行されるＤＰＯＦファイル生成処理の第２の実施の形態の手順を示すフローチャートである。
【図１０】図１のデジタルカメラ１００によって実行されるＤＰＯＦファイル生成処理の第２の実施の形態の手順を示すフローチャートである。
【図１１】図１のデジタルカメラ１００によって実行されるＤＰＯＦファイル生成処理の第２の実施の形態の手順を示すフローチャートである。
【図１２】図１のデジタルカメラ１００における、ＤＰＯＦファイル再利用時に更新したリンク情報「Info_of_Image.txt」の記述例を示す図である。
【図１３】図１のデジタルカメラ１００における、ＤＰＯＦファイル再利用時に更新したＤＰＯＦ自動プリントファイル「AUTPRINT.MRK」の記述例を示す図である。
【図１４】本発明の第２の実施の形態に係る情報処理装置及び撮像装置としてのデジタルカメラのブロック図である。
【図１５】図１４のデジタルカメラ１００において、自動送信ファイル「AUTXFER.MRK」を追加したときのフォルダ構成を示す図である。
【図１６】図１４のデジタルカメラ１００において、追加した自動送信ファイル「AUTXFER.MRK」の記述例を示す図である。
【図１７】本発明の第３の実施の形態に係る情報処理装置及び撮像装置としてのデジタルカメラのブロック図である。
【図１８】図１７のデジタルカメラ１００において、自動再生ファイル「AUTPLAY1.MRK」を生成したときのフォルダ構成を示す図である。
【発明を実施するための形態】
【００１８】
以下、本発明を図面を参照しながら詳細に説明する。
【００１９】
（第１の実施の形態）
図１は、本発明の第１の実施の形態に係る情報処理装置及び撮像装置としてのデジタルカメラのブロック図である。
【００２０】
図１において、デジタルカメラ１００の以下の構成要素をその動作と併せて説明する。
【００２１】
撮像部１０１は画像を取得する。即ち、撮像部１０１で取得した光信号を電気信号に変換し、その電気信号を画像処理部１０２で所定のフォーマットのデータに変換し、内蔵メモリ（第１の記録媒体）１０５または、この装置に着脱可能なＣＦカード１０６に記録する。ユーザの画像表示要求があった場合は、操作を元にＣＰＵ１０４が記録された画像を表示部１０３に表示させる。
【００２２】
ＲＯＭ１０７にはプログラムが記録されており、ＣＰＵ１０４が該プログラムを実行して任意の処理を実行する。ＲＯＭ１０７の符号１０８乃至１１２で示す各機能モジュールを以下説明する。
【００２３】
尚、上記のＣＦカード以外にも、ＳＤカードなど、他の種類のメモリーカードも利用可能であることは言うまでも無い。本発明は、装置に着脱可能なリムーバブルメディアであれば、他の種類のメモリーカードでも利用可能である。上記デジタルカメラは不図示の装着部にメモリーカードを装着可能である。
【００２４】
印刷指定プログラム（指定手段）１０８は、第１の記録媒体に記録された任意の画像をプリント指定する。
【００２５】
画像サイズ変換プログラム（変換手段）１０９は、指定手段によりプリント指定された第１の記録媒体に記録されている画像を指定されたプリントサイズに応じて縮小変換し、第２の記録媒体に記録する。変換手段は、画像の解像度に応じて縮小する割合を変更することができる。
【００２６】
ＤＰＯＦ自動プリントファイル生成プログラム（第１の生成手段）１１０は、変換手段による縮小変換後に、第２の記録媒体に記録した画像のプリント要求とプリント枚数を示すプリント指定ファイルを生成する。
【００２７】
リンク情報生成プログラム（第２の生成手段）１１１は、プリントサイズとプリント指定された元画像が記録されている第１の記録媒体の記録場所を示すリンク情報を生成する。リンク情報、プリント指定ファイル毎に生成可能である。このリンク情報の形式としてはＣＦカード内に隠しファイルとして記録するものとしているが、この形式は問わないし、ファイルリンク情報単体でのファイルとして記録しなくても良い。
【００２８】
元画像有無判定プログラム（判定手段）１１２は、第２の生成手段により生成されたリンク情報からプリント指定され、第２の記録媒体に記録されている画像が第１の記録媒体に記録されていた画像から変換された画像か否かを判定する。また、元画像有無判定プログラム（判定手段）１１２は、変換された画像の場合は元画像が第１の記録媒体に存在するか否かを判定する。
【００２９】
また、ＣＰＵ１０４、後述する図４のステップＳ４０６は、変更手段として機能する。変更手段は、第１の生成手段により生成されたプリント指定ファイルと第２の生成手段により生成されたリンク情報を元に、指定されたプリントサイズに応じて第２の記録媒体に記録された画像のサイズを変更する。
【００３０】
図２は、図１のデジタルカメラ１００の背面図である。
【００３１】
ユーザは表示部１０３を見ながら、操作ボタン２００を押して画像の表示要求や設定変更等を行う。
【００３２】
図３は、図１における内蔵メモリ１０５の画像を元にＣＦカード１０６にＤＰＯＦファイルを生成するときのフォルダ構成を示す図である。
【００３３】
図４は、図１のデジタルカメラ１００によって実行されるＤＰＯＦファイル生成処理の第１の実施の形態の手順を示すフローチャートである。
【００３４】
本処理は、図１におけるＣＰＵ１０４の制御の下に実行される。各処理ステップはＳと称する。
【００３５】
ＣＰＵ１０４は、図１のプリント指定プログラム１０８を実行してプリント指定メニューを選択し、プリント（印刷）したい画像の選択と、枚数、プリント形式（スタンダード、インデックス）等を選択する（Ｓ４０１〜Ｓ４０３）。
【００３６】
ＣＰＵ１０４は、指定画像が内蔵メモリ１０５にある場合は（Ｓ４０４）、プリントサイズを指定する（Ｓ４０５）。
【００３７】
図５は、図１のデシタルカメラ１００において、プリント解像度が３００ｄｐｉのときのプリントサイズと必要画像画素数を示す図である。
【００３８】
例えば、図３に示すように、内蔵メモリ１０５に記録されている「IMG_0001.JPG」画像が３７４４×５６１６の２０００万画素以上の画像だとする。これをＬ判でプリント指定する場合は、１０５１×１５００の約１５０万画素の画像で記録すればよい。
【００３９】
画素数で１／１０以下であり、画像データサイズが約１／１０になることが見込まれる。プリント解像度とプリントサイズ―必要画像画素数のテープル情報は、デジタルカメラ１００の所定場所に記録する。
【００４０】
プリント解像度とプリントサイズから必要画像画素数を算出してもよい。プリント解像度は設定により変更可能である。プリント解像度が変更になった場合は、必要画像画素数もそれに対応して変更する。
【００４１】
次に、図１の画像サイズ変換プログラム１０９を実行して指定プリントサイズに応じたサイズで画像をＣＦカード１０６にコピーする（Ｓ４０６）。
【００４２】
次に、ＣＰＵ１０４は、リンク情報生成プログラム１１１を実行して指定したコピー元画像の記録場所とプリントサイズ記録されているリンク情報「Info_of_Image.txt」をＣＦカード１０６の「MISC」フォルダに記録する（Ｓ４０７）。
【００４３】
図６は、図３におけるリンク情報「Info_of_Image.txt」を示す図である。
【００４４】
画像ファイル「IMG_0001_ＣＦ_L.JPG」は内蔵メモリ１０５の、「DCIM/100CANON」フォルダに格納されている。さらにＣＦカード１０６が一度引き抜かれて、再び装着された後でも記録場所を特定可能にするため、デジタルカメラ１００の機種名とカメラbody番号が記録されている。
【００４５】
このリンク情報「Info_of_Image.txt」は、デジタルカメラ１００以外から操作するのを防ぐため、隠しファイルにしてもよい。また、ＤＰＯＦ自動プリントファイルが複数存在する場合には、その数と同じリンク情報を記録することも可能である。
【００４６】
最後に、ＣＰＵ１０４は、図１のＤＰＯＦ自動プリントファイル生成プログラム１１０を実行してＤＰＯＦ自動プリントファイル「AUTPRINT.MRK」をＣＦカード１０６に記録する（Ｓ４０８）。
【００４７】
図７は、図６における「AUTPRINT.MRK」を示す図である。
【００４８】
「PRT PID」はプリントＩＤ番号、「PRT TYP」はプリントタイプ、「PRT QTY」は枚数、「IMG FMT」は画像ファイルのフォーマットでる。最後の「IMG SRC」は、画像ファイル記録フォルダの相対パスである。ここではＣＦカード１０６に記録された画像ファイル「IMG_0001_ＣＦ_L.JPG」を指定している。
【００４９】
図８は、図１のデジタルカメラ１００における、ＤＰＯＦファイル再利用による画像データ更新時のフォルダ構成を示す図である。
【００５０】
図９乃至図１１は、図１のデジタルカメラ１００によって実行されるＤＰＯＦファイル生成処理の第２の実施の形態の手順を示すフローチャートである。
【００５１】
図９において、ＣＰＵ１０４は、ＤＰＯＦファイルを作成しようとしたとき、ＣＦカード１０６にＤＰＯＦがある場合は、そのＤＰＯＦファイルを再利用するかユーザに問い合わせる（Ｓ９０１、Ｓ９０２）。
【００５２】
ＤＰＯＦファイルを再利用しない場合は、図４のＤＰＯＦ新規作成フローに進む。再利用する場合は、ＣＰＵ１０４は、記録されているＤＰＯＦファイルを読み込む（Ｓ９０３）。
【００５３】
そして、ＣＰＵ１０４は、前述したＤＰＯＦ指定画像に関するリンク情報「Info_of_Image.txt」があるかどうか確認する（Ｓ９０４）。
【００５４】
ＣＰＵ１０４は、リンク情報がある場合はそれを読み込み（Ｓ９０５）、ＣＦカード１０６内の画像データの有無を判定する元画像有無判定プログラム１１２を実行する。そして、ＣＰＵ１０４は、元画像有無判定プログラム１１２により、リンク情報「Info_of_Image.txt」に記載された元画像ファイルの記録場所に画像があるか確認する（Ｓ９０６）。
【００５５】
ＣＰＵ１０４は、指定記録場所に画像がないときは、リンク情報「Info_of_Image.txt」に指定された元画像記録場所を消去する（Ｓ９０７）。そして、ＣＰＵ１０４は、リンク情報に記載されている全ての画像について同じように確認する（Ｓ９０８）。
【００５６】
次に、図１０のフローに進む。
【００５７】
ＣＰＵ１０４は、ＤＰＯＦファイルを読み込んだ画像で選択が終了か確認する（Ｓ１００１）。ＣＰＵ１０４は、追加や枚数変更する場合は、プリント画像を選択し、枚数を入力する（Ｓ１００２、Ｓ１００３）。
【００５８】
画像選択終了後、ＣＰＵ１０４は、プリント指定画像が追加されているか確認し、さらに追加された画像が内蔵メモリ１０５の画像か否かを確認する（Ｓ１００４、Ｓ１００５）。
【００５９】
ＣＰＵ１０４は、内蔵メモリ１０５の画像がプリント指定に追加されている場合は、リンク情報「Info_of_Image.txt」に記録されているプリントサイズに応じて、画像サイズ変換プログラム１０９を実行する。そして、ＣＰＵ１０４は、画像サイズ変換プログラム１０９により、その画像のサイズを変換し、ＣＦカード１０６に記録する（Ｓ１００６）。
【００６０】
ＣＰＵ１０４は、リンク情報生成プログラム１１１を実行して、記録した画像の元画像記録場所をリンク情報「Info_of_Image.txt」に追加する（Ｓ１００７）。
【００６１】
次に、図１１のフローに進む。
【００６２】
ＣＰＵ１０４は、プリントサイズを指定し（Ｓ１１０１）、リンク情報「Info_of_Image.txt」に記載のプリントサイズと同じか否かを確認する（Ｓ１１０２）。同じ場合は、ＣＰＵ１０４は、ＤＰＯＦファイルを更新し、ＣＦカード１０６に記録する（Ｓ１１０８）。
【００６３】
ＣＰＵ１０４は、異なるプリントサイズが指定された場合は、そのサイズに対しＣＦカード内画像の画素数で十分かどうか確認し（Ｓ１１０３）、画像サイズが不十分な場合は、指定画像の元画像が内蔵メモリ１０５にあるかどうかを確認する（Ｓ１１０４）。
【００６４】
ＣＰＵ１０４は、元画像がある場合は、画像サイズ変換プログラム１０９を実行して内蔵メモリ内画像を指定されたプリントサイズに応じたサイズに変更して、ＣＦカード１０６にコピーする（Ｓ１１０５）。
【００６５】
ＣＰＵ１０４は、指定画像全てについて同じように確認し（Ｓ１１０６）、全て確認終了したらリンク情報生成プログラム１１１を実行して、リンク情報「Info_of_Image.txt」を更新して記録する（Ｓ１１０７）。ＣＰＵ１０４は、同様に、ＤＰＯＦファイルを更新し、ＣＦカード１０６に記録する（Ｓ１１０８）。
【００６６】
ＣＰＵ１０４は、例えば、Ｌ判用にＣＦカード１０６に記録されていた画像サイズ１０５１×１５００の約１５０万画素の画像ファイル「IMG_0001_ＣＦ_L.JPG」が記録されているＣＦカード１０６のＤＰＯＦ自動プリントファイルを読み取る。そして、ＣＰＵ１０４は、ＤＰＯＦを再利用し、Ａ４プリントを指定する。
【００６７】
ＣＰＵ１０４は、画像ファイル「IMG_0001_ＣＦ_L.JPG」ではプリントに十分な画質が得られないと判定し、図８のように、再度元画像の「IMG_0001.JPG」からコピーして、画像サイズ２４８０×３５０７の約８５０万画素の画像ファイル「IMG_0001_ＣＦ_A4.JPG」に更新する。
【００６８】
図１２は、図１のデジタルカメラ１００における、ＤＰＯＦファイル再利用時に更新したリンク情報「Info_of_Image.txt」の記述例を示す図である。また、図１３は、図１のデジタルカメラ１００における、ＤＰＯＦファイル再利用時に更新したＤＰＯＦ自動プリントファイル「AUTPRINT.MRK」の記述例を示す図である。
【００６９】
図１２に示すように、さらにリンク情報「Info_of_Image.txt」のプリントサイズをＬ判からＡ４に変更する。さらに、図１３に示すように、ＤＰＯＦ自動プリントファイル「AUTPRINT.MRK」内の「IMG SRC」を変更する。
【００７０】
（第２の実施の形態）
図１４は、本発明の第２の実施の形態に係る情報処理装置及び撮像装置としてのデジタルカメラのブロック図である。
【００７１】
ＤＰＯＦは自動プリントファイルの他に、自動送信ファイル生成プログラム（第３の生成手段）１４００を実行して自動送信ファイルを生成することができる。また、自動送信ファイルに記載されたインターネットアドレスに指定したファイルを送信することができる。
【００７２】
例えば、第１の実施の形態を実施すると、ＤＰＯＦ自動プリントファイル、指定したコピー元画像の記録場所とプリントサイズ記録されているリンク情報、プリント用画像ファイルが記録されたＣＦカード１０６ができる。ここにさらに自動送信ファイルを追加する。
【００７３】
図１５は、図１４のデジタルカメラ１００において、自動送信ファイル「AU TXFER.MRK」を追加したときのフォルダ構成を示す図である。また、図１６は、図１４のデジタルカメラ１００において、追加した自動送信ファイル「AUTXFER.MRK」の記述例を示す図である。
【００７４】
「AUTXFER.MRK」に記述されている「PMT PID」は送信ＩＤ番号、「DST ADR」は送信先のインターネットアドレスが記録されている。「IMG FMT」は画像の記録フォーマットが、「IMG SRC」は送信する画像ファイルの相対パスが記述されている。また、画像以外のデータを送信したい場合はで指定する。個々では自動プリントファイルを「DAT SRC」で指定している。
【００７５】
これらのデータが記録されたＣＦカード１０６を、例えば、インターネットに接続されたＰＣに接続し、データ通信ができる状態になれば、自動的にプリント画像とＤＰＯＦ自動プリントファイルを送信することができる。インターネットでプリントサービスを行っているサイト等に送れば、簡単にプリントサービスを受けることが可能となる。
【００７６】
ＣＦカード１０６をデジタルカメラ１００に装着し、ＤＰＯＦファイルが再利用され、更に違うプリントサイズが指定されたとき、第１の実施の形態と同じフローで簡易に画像サイズの変更ができる。
【００７７】
（第３の実施の形態）
図１７は、本発明の第３の実施の形態に係る情報処理装置及び撮像装置としてのデジタルカメラのブロック図である。
【００７８】
内蔵メモリ１０５に記録された任意の画像を自動再生指定する自動再生指定プログラム（指定手段）１７００を備える。また、ＣＦカード１０６に記録した画像の自動再生要求を示すファイルを生成する自動再生指定ファイル生成プログラム（第１の生成手段）１７０１を備える。画像サイズ変換プログラム１０９は、自動再生指定された第１の記録媒体に記録されている画像を指定された自動再生サイズに応じて縮小変換し、第２の記録媒体に記録する。
【００７９】
ＤＰＯＦは、自動プリントファイル、自動送信ファイルの他に、自動再生指定ファイル生成プログラム１７０１を実行して自動再生ファイルを生成することができる。自動再生ファイルは、指定した画像を指定した間隔でスライドショーとして表示することが可能である。
【００８０】
図１８は、図１７のデジタルカメラ１００において、自動再生ファイル「AUTPLAY1.MRK」を生成したときのフォルダ構成を示す図である。
【００８１】
指定したコピー元画像の記録場所と再生画像サイズが記録されているリンク情報「Info_of_Image.txt」が記録されている。再生画像サイズを大きくしたいとき、第１の実施の形態と同じフローで簡易に画像サイズの変更ができる。
【００８２】
［他の実施の形態］
尚、本発明の目的は、以下の処理を実行することによって達成される。即ち、上述した実施の形態の機能を実現するプログラムコードを記録した記憶媒体を、システム或いは装置に供給し、そのシステム或いは装置のコンピュータ（またはＣＰＵやＭＰＵ等）が記憶媒体に格納されたプログラムコードを読み出す処理である。
【００８３】
この場合、記憶媒体から読み出されたプログラムコード自体が前述した実施の形態の機能を実現することになり、そのプログラムコード及び該プログラムコードを記憶した記憶媒体は本発明を構成することになる。
【００８４】
また、プログラムコードを供給するための記憶媒体としては、次のものを用いることができる。例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等である。または、プログラムコードをネットワークを介してダウンロードしてもよい。
【００８５】
また、コンピュータが読み出したプログラムコードを実行することにより、上記実施の形態の機能が実現される場合も本発明に含まれる。加えて、そのプログラムコードの指示に基づき、コンピュータ上で稼動しているＯＳ（オペレーティングシステム）等が実際の処理の一部または全部を行い、その処理によって前述した実施の形態の機能が実現される場合も含まれる。
【００８６】
更に、前述した実施の形態の機能が以下の処理によって実現される場合も本発明に含まれる。即ち、記憶媒体から読み出されたプログラムコードが、コンピュータに挿入された機能拡張ボードやコンピュータに接続された機能拡張ユニットに備わるメモリに書き込まれる。その後、そのプログラムコードの指示に基づき、その機能拡張ボードや機能拡張ユニットに備わるＣＰＵ等が実際の処理の一部または全部を行う場合である。
【符号の説明】
【００８７】
１０１  撮像部
１０２  画像処理部
１０３  表示部
１０４  ＣＰＵ
１０５  内蔵メモリ
１０６  ＣＦカード
１０７  ＲＯＭ
１０８  プリント指定プログラム
１０９  画像サイズ変換プログラム
１１０  ＤＰＯＦ自動プリントファイル生成プログラム
１１１   リンク情報生成プログラム
１４００  自動送信ファイル生成プログラム
１７００  自動再生指定プログラム
１７０１  自動再生指定ファイル生成プログラム
【図１】
2010161579.tif 000003
【図２】
2010161579.tif 000004
【図３】
2010161579.tif 000005
【図４】
2010161579.tif 000006
【図５】
2010161579.tif 000007
【図６】
2010161579.tif 000008
【図７】
2010161579.tif 000009
【図８】
2010161579.tif 000010
【図９】
2010161579.tif 000011
【図１０】
2010161579.tif 000012
【図１１】
2010161579.tif 000013
【図１２】
2010161579.tif 000014
【図１３】
2010161579.tif 000015
【図１４】
2010161579.tif 000016
【図１５】
2010161579.tif 000017
【図１６】
2010161579.tif 000018
【図１７】
2010161579.tif 000019
【図１８】
2010161579.tif 000020